(57)【要約】      （修正有）【課題】簡単かつ安価堅牢な機構で可動体を迅速に固定用枠体に取り付けることを可能にしたロック装置を提供する。【解決手段】ワンタッチロック装置は、防水板の左右の肩部の上端に装着したベース１００と、ベース１００に載置したハウジングと、ハウジングに設けた二腕の操作アーム３０１、３０２と、カムシリンダー４００と、ピストンシリンダーと、ピストンロッドと、アタッチメント７００とからなる。二腕の操作アーム３０１、３０２は、後部を連結具３０１−２で支持され、先端を前記ハウジングの前後壁にブッシュなどにより回転可能に装着し、一方の操作アーム３０１をカムシリンダー４００に連結して回転操作し、ピストンシリンダーと共にピストンロッドを直線的に進退駆動させてアタッチメント７００を建物の入口の固定用枠体の縦受枠に圧接するロック操作及び離間させるアンロック操作をする。【選択図】図５
0003220077.tif 000002
【実用新案登録請求の範囲】
【請求項１】
可動体を固定用枠体に着脱可能に装着するロック装置であり、
可動体の上端にベースを装着し、前記ベースにハウジングを装着し、
前記ハウジングの前後両側にロック操作及びアンロック操作用の二腕の操作アームを回転可能に装着し、
前記ハウジング内に前記操作アームの回転により回転し外周に１８０度回転角度間隔で一対の螺旋カム溝穴を平行に形成したカムシリンダーを設け、
前記カムシリンダー内にその軸方向に進退摺動可能に延在し外周に前記カムシリンダーの螺旋カム溝穴にガイドされるガイドピンを設置したピストンシリンダーを設け、
ピストンシリンダーの後部中央部に螺合支持され前部中央部に摺動可能に支持されピストンシリンダーの軸心部とその延長線上に突出部を位置しピストンシリンダー内の軸心部に段付き部を形成したピストンロッドを設け、
前記ピストンシリンダー内の前記ピストンロッドの後部螺合支持部と段付き間にスプリングを設け、
前記ピストンロッドの突出部に連結し固定用枠体側に進退動作を可能にした固定用枠当接用のアタッチメントを設けたことを特徴とするワンタッチロック装置。
【請求項２】
前記ベースにハウジングの両側部を連結部材で前記アタッチメントの進退方向に対して直角方向に移動可能に連結し、前記二腕の操作アームに補助アームを付設し、補助アームにより前記連結部材を、移動操作可能にしたことを特徴とする請求項１に記載のワンタッチロック装置。
【考案の詳細な説明】
【技術分野】
【０００１】  本考案は、防水装置などの竪型固定枠体に可動体をワンタッチで迅速簡単に着脱することを可能にした簡単機構及び堅牢機構のワンタッチロック装置に関する。
【背景技術】
【０００２】  固定枠体に可動体を取り外し可能に装着する装置例として実用新案文献１に記載の防水装置がある。
この防水装置は、建物の入口（例えばビル、マンション等の入口や、地下通路出入り用建物の入口等）からの、豪雨や洪水等による侵水を防止するものである。
上記防水装置は、建物の入口に固定用枠体を設け、固定用枠体は入口の左右両側壁部にそれぞれに上下方向に各々に延びる受け溝部と、入口の床面の床受け部とからなり、可動体は両サイドを前記受け溝部に、下端縁部を前記床受け部に着脱可能に支持されて該入口を閉じる防水板とからなる。
前記受け溝部と床受け部には浸水防止用の防水ゴムを貼設してある。そして防水板には防水板を該受け溝部と床受け部に取り外し可能にしたロック装置を付設してある。
【先行技術文献】
【特許文献】
【０００３】
【特許文献１】特許第３４５８０７７号公報
【考案の概要】
【考案が解決しようとする課題】
【０００４】  特許文献１で紹介されている従来のロック装置は、垂直位置（即ちアンロック位置）及び水平位置（即ちロック位置）間を回動操作可能な操作レバーと、この操作レバーの垂直位置から水平位置までの回動操作により、側部防水ゴムを受け部内面に圧接させる前後方向押圧力と、底部防水ゴムを入口底面に圧接させる下方押圧力とを防水板に対して同時に付与するようにした複雑な機構とている。
その上、このロック装置は、操作レバーの基端部（ローラ）を建物側の被係合面に直接係合させることで、操作レバーの９０度、回動操作で防水板に対する前後方向押圧力と下方押圧力とを同時発生させるため、その回動操作時に操作者は、防水板の前後操作抵抗と押下げ操作抵抗とを同時に受けるため該操作レバーに大きな操作力を必要とする。このため微調整も甚だ困難を極め、作業効率が劣る。従って水害などの災害時の迅速性が問われる。【０００５】  本考案は、前記問題点を解決し、前記可動体を簡単なしかも堅牢な機構で迅速に固定用枠体に取り付けるワンタッチロック装置を提供する。
【課題を解決するための手段】
【０００６】  本考案の特徴とする技術的特徴は次の（１）〜（２）に記載の通りである。
（１）、可動体を固定用枠体に着脱可能に装着するロック装置であり、
可動体の上端にベースを装着し、前記ベースにハウジングを装着し、
前記ハウジングの前後両側にロック操作及びアンロック操作用の二腕の操作アームを回転可能に装着し、
前記ハウジング内に前記操作アームの回転により回転し外周に１８０度回転角度間隔で一対の螺旋カム溝穴を平行に形成したカムシリンダーを設け、
前記カムシリンダー内にその軸方向に進退摺動可能に延在し外周に前記カムシリンダーの螺旋カム溝穴にガイドされるガイドピンを設置したピストンシリンダーを設け、
ピストンシリンダーの後部中央部に螺合支持され前部中央部に摺動可能に支持されピストンシリンダーの軸心部とその延長線上に突出部を位置しピストンシリンダー内の軸心部に段付き部を形成したピストンロッドを設け、
前記ピストンシリンダー内の前記ピストンロッドの後部螺合支持部と段付き間にスプリングを設け、
前記ピストンロッドの突出部に連結し固定用枠体側に進退動作を可能にした固定用枠当接用のアタッチメントを設けたことを特徴とするワンタッチロック装置。
（２）、前記ベースにハウジングの両側部を連結部材で前記アタッチメントの進退方向に対して直角方向に移動可能に連結し、前記二腕の操作アームに補助アームを付設し、補助アームにより前記連結部材を、移動操作可能にしたことを特徴とするワンタッチロック装置。
【考案の効果】
【０００７】  本考案のワンタッチロック装置は、前記特徴とする構成のように簡単なしかも堅牢な機構で前記可動体を迅速に固定用枠体に取り付けること及び取り外すことを可能にしたロック装置である。
このため、本考案のワンタッチロック装置は、前記した防水装置、大型窓枠装置、開閉ドアー装置、運搬車の開閉ドアー装置、倉庫や船舶のハッチの蓋装置等々に有利に適用可能である。【０００８】  即ち、前記操作アームにより、カムシリンダーを回転してその螺旋溝穴にガイドピンを介してピストンシリンダーと共にピストンロッドを円滑に直線的に進退作動させてアタッチメントを固定用枠に確実に圧接当接操作及び離間取外しすることを瞬時に可能にしたものである。
また前記カムシリンダーを採用することにより前記操作アームの回転操作は極めて軽負荷で迅速円滑にすることを可能にしたため、機械的メンテナンス及び作業性の高効率化を実現したものである。【０００９】  ピストンシリンダー内に位置するピストンロッドにスプリングを周設した段付き部を設けることにより螺合ネジの回転によりピストンロッドのピストンシリンダーからの突出長さを変えてアタッチメントの操作長さを調節することを容易に可能にしたものである。【００１０】  本考案のワンタッチロック装置を例えば前記した防水装置に採用すれば水害などの災害時の防水対応の迅速性及び的確性を堅持することができる。
【図面の簡単な説明】
【００１１】
【図１−１】本考案のワンタッチロック装置を防水装置に適用した実施例を示す正面図である。
【図１−２】図１−１の側面図である。
【図２−１】図１−１及び図１−２における一側部のワンタッチロック装置のアンロック状態を示す鳥瞰図である。
【図２−２】図２−１に示すワンタッチロック装置のロック状態を示す鳥瞰図である。
【図３−１】ワンタッチロック装置のアンロックの状態を示す鳥瞰図である。
【図３−２】ワンタッチロック装置のロック状態を示す鳥瞰図である。
【図４−１】図３−２に示すワンタッチロック装置からハウジングの上部壁と両側壁を省略して反操作アーム側から見た鳥瞰図である。
【図４−２】図４−１からハウジングとベースを省略して操作アーム側から見た鳥瞰図である。
【図４−３】図４−２からハウジングとベースと操作アームとカムシリンダーを省略して操作アーム側から見た鳥瞰図である。
【図５】ハウジングの上壁、両側壁を省略し操作アームの回転によるカムシリンダーの回転でアタッチメントの前後動作つまりアンロック・ロック状態を示し、（１）はアタッチメントのアンロック状態を示す正面図であり、（２）はアタッチメントのロック状態を示す正面図である。
【図６】図３−２の矢視Ａ−Ａからの横断面図である。
【図７】図６の要部拡大の鳥瞰図である。
【考案を実施するための形態】
【００１２】  本考案のワンタッチロック装置は、前記した防水装置、大型窓枠装置、開閉ドアー装置、運搬車の開閉ドアー装置、倉庫や船舶のハッチの蓋装置等々に有利に適用可能である。
実施態様例として本考案のワンタッチロック装置を防水装置に適用した例を図と共に詳細に説明する。
【００１３】  即ち本例の防水装置は、図１−１〜図２−２に示すように防水板１を可動体例として、固定用枠体例として建物の入口の固定用枠体とするものである。
固定用枠体は入口の左右両側壁部にそれぞれに上下方向に各々に延びる横断面Ｌ型の縦受枠２と、入口の床面の床受け枠３とからなり、可動体の防水板１は両サイドの裏面（反入水側）に貼設したシールゴム（図示せず）を前記縦受枠２の正面（入水側）に当接させ、下端縁部に貼設したシールゴム（図示せず）を前記床受枠に自重当接させて該入口を閉じ浸水を防止する。
【００１４】  本例のワンタッチロック装置１０は、防水板１の左右の肩部それぞれに設置して図２−１に示すように防水板１の前記浸水防止状態を維持させるロック操作と図２−２に示すように該ロック状態を解除するアンロック操作をする。
【００１５】図２−１〜図５において、ワンタッチロック装置１０は、防水板１の左右の肩部の上端に装着したベース１００と、前記ベース１００に載置したハウジング２００と、ハウジング２００に設けた二腕の操作アーム３０１、３０２と、カムシリンダー４００と、ピストンシリンダー５０１と、ピストンロッド６００と、アタッチメント７００とからなる
【００１６】二腕の操作アーム３０１、３０２は、後部を連結具３０１−２で支持され、先端を前記ハウジング２００の前後壁にブッシュ３０３，３０４などにより回転可能に装着し、一方の操作アーム３０１をカムシリンダー４００に連結して回転操作し、ピストンシリンダー５０１と共にピストンロッド６００を直線的に進退駆動させて前記アタッチメント７００を建物の入口の固定用枠体の縦受枠２に圧接するロック操作及び離間させるアンロック操作をする。
【００１７】カムシリンダー４００は図５の（１）、（２）にも示す筒体で、一方の前記操作アーム３０１に連結して前記ハウジング内に回転可能設けられ、外周に１８０度の回転角度間隔で平行した一対の螺旋カム溝穴４０１、４０２を形成してあり、操作アーム３０１，３０２の９０度回転により回転してピストンシリンダー５０１のガイドピン５０３，５０４を介してピストンシリンダー５０１とピストンロッド６００を直線的に進退駆動させるものである。図５の（１）はアタッチメント７００のアンロック状態を示す正面図であり、（２）はアタッチメント７００のロック状態を示す正面図である。
前記一対の螺旋カム溝穴４０１、４０２は、回転角度終了点位置にガイドピン５０３，５０４が一旦嵌る戻り防止ピット４０１Ｐ、４０２Ｐを形成してある。
【００１８】  ピストンシリンダー５０１は、図６と図７にも詳細に示すが、前記カムシリンダー４００内の軸方向に進退可能に延在したピストンシリンダー５０１と、ピストンシリンダー５０１の後部に接続固定した後部蓋５０２とからなる。
ピストンシリンダー５０１は、外周に前記カムシリンダー４００の螺旋カム溝穴４０１、４０２に挿入するガイドピン５０３，５０４を両側部に螺合固定してあり、これを介してカムシリンダー４００の螺旋カム溝穴４０１、４０２の回転で直線的に進退移動される。図中５０５、５０６はピストンシリンダー５０１の前部の両側部に設けピストンシリンダー５０１がカムシリンダー４００の回転により回転せず直線的に進退移動させる為の長穴切欠き式の被ガイドであり５０７，５０８は前記ピストンロッド６００の段付き部の両側に固定設置した被ガイド５０５、５０６のガイドである。
【００１９】  ピストンロッド６００は、ピストンシリンダー５０１の後部蓋５０２中央部に螺合ネジ６０１により螺合支持され且つ前部ピストンシリンダー５０１の中央部に摺動可能に支持されピストンシリンダー５０１の軸心部６０２と前部延長線上に突出部６０３を位置し、ピストンシリンダー５０１の軸心部６０２前端部に段付き部６０４を形成してある。
ピストンロッド６００の突出部６０３の前端はアタッチメント７００に連結固定してあり、前記ガイド５０７，５０８の回転を阻止する。
前記ピストンロッド６００の螺合ネジ６０１による後部螺合支持部と段付き部６０４間に圧縮状態にしたスプリング６０５を設けてある。
【００２０】  前記ピストンロッド６００の後端部は前述のように螺合ネジ６０１によりピストンシリンダー５０１の後部蓋５０２に連結し、螺後ネジ６０１の回転により該スプリング６０５に抗してピストンロッド６００を進退させてストンシリンダー５０１からの突出部の位置を進退移動調節可能になっている。
即ち螺後ネジ６０１の回転によりピストンロッド６００よるアタッチメント７００の操作長さを調節するのである。
【００２１】  アタッチメント７００は、Ｌ型の一辺７０１をピストンロッド６００の突出部６０３の前端に連結固定しその表面には摩擦係数の高い材質のラバー７０２を貼設してあり、他辺７０３には被ガイド長溝７０４を形成し、この被ガイド長溝７０４に前記ハウジング２００の後壁に設けたガイド突起２０１に係合して、固定用枠体の前記縦受枠２の側面への圧接・離間の進退動作が案内されることを可能にしてある。
【００２２】  前記ベース１００はベースアーム１０１と連結部材１０２でハウジング２００の両側部の長穴ガイド２０２に連結して前記アタッチメント７００の進退方向に対して直角方向に移動可能にし、この連結部材１０２を二腕の操作アーム３０１，３０２に付設の補助アーム３０３，３０４により押し込み操作して、前記ベース１００を防水板１と共に固定用枠体の縦受枠２正面に接近移動して防水板１のシールゴムを縦受枠２正面に圧接することを可能にしてある。
補助アーム３０３，３０４はハウジング２００における二腕の操作アーム３０１，３０２の回転軸部の近傍に突設してあり、ロック動作終了間際に該連結部材１０２に当接して押し込む関係位置に配置してある。
【符号の説明】
【００２３】  １：防水板
２：縦受枠
３：床受け枠
１０：ワンタッチロック装置
１００：ベース
１０１：ベースアーム
１０２：連結部材
２００：ハウジング
２０１：ガイド突起
２０２：長穴ガイド
３０３，３０４：補助アーム
３０１、３０２：二腕の操作アーム
３０５，３０６：ブッシュ
４００：カムシリンダー
４０１、４０２：一対の螺旋カム溝穴
４０１Ｐ、４０２Ｐ：戻り防止ピット
５０１：ピストンシリンダー
５０２：後部蓋
５０３，５０４：ガイドピン
５０５、５０６：長穴切欠き式の被ガイド
５０７，５０８：被ガイドのガイドである。
６００：ピストンロッド
６０１：螺合ネジ
６０２：軸心部
６０３：突出部
６０４：段付き部
６０５：スプリング
７００：アタッチメント
７０１：Ｌ型の一辺
７０２：ラバー
７０３：他辺
７０４：被ガイド長溝
【図１−１】
0003220077.tif 000003
【図１−２】
0003220077.tif 000004
【図２−１】
0003220077.tif 000005
【図２−２】
0003220077.tif 000006
【図３−１】
0003220077.tif 000007
【図３−２】
0003220077.tif 000008
【図４−１】
0003220077.tif 000009
【図４−２】
0003220077.tif 000010
【図４−３】
0003220077.tif 000011
【図５】
0003220077.tif 000012
【図６】
0003220077.tif 000013
【図７】
0003220077.tif 000014